(57)【要約】【課題】注文プログラムの本体部分と共に配布される付帯的なデータファイルを有効に活用して、使用者の利便性を向上させる。【解決手段】注文先の店舗を特定するための識別コードと、プログラムの実行中に使用される前記店舗に関する情報とを記録した店舗情報用データファイルを保持して、前記識別コードによって前記店舗を注文先として指定して物品又はサービスの提供をネットワーク経由で注文するための注文プログラムをインストールするための注文プログラムのインストール用プログラムにおいて、既に前記コンピュータ中に存在する前記識別コードと、これから前記コンピュータに組み込もうとする前記店舗情報用データファイルについての前記識別コードとの対比結果によって、既存の前記店舗情報用データファイルをこれから前記コンピュータに組み込もうとする前記店舗情報用データファイルによって上書きするか否かを切換える。【選択図】図１
2007034756.tif 000002
【特許請求の範囲】
【請求項１】
注文先の店舗を特定するための識別コードと、プログラムの実行中に使用される前記店舗に関する情報とを記録した店舗情報用データファイルを保持して、前記識別コードによって前記店舗を注文先として指定して物品又はサービスの提供をネットワーク経由で注文するための注文プログラムを、コンピュータへ実行可能な状態に組み込むための注文プログラムのインストール用プログラムであって、
前記店舗情報用データファイルが既に前記コンピュータ中に存在するときに、既に前記コンピュータ中に存在する前記店舗情報用データファイルに記録されている前記識別コードと、これから前記コンピュータに組み込もうとする前記店舗情報用データファイルについての前記識別コードとの対比結果によって、既に前記コンピュータ中に存在する前記店舗情報用データファイルをこれから前記コンピュータに組み込もうとする前記店舗情報用データファイルによって上書きするか否かを切換えるように構成されている注文プログラムのインストール用プログラム。
【請求項２】
既に前記コンピュータ中に存在する前記店舗情報用データファイルに記録されている前記識別コードと、これから前記コンピュータに組み込もうとする前記店舗情報用データファイルについての前記識別コードとが一致するときに、既に前記コンピュータ中に存在する前記店舗情報用データファイルをこれから前記コンピュータに組み込もうとする前記店舗情報用データファイルによって上書きし、
既に前記コンピュータ中に存在する前記店舗情報用データファイルに記録されている前記識別コードと、これから前記コンピュータに組み込もうとする前記店舗情報用データファイルについての前記識別コードとが一致しないときに、既に前記コンピュータ中に存在する前記店舗情報用データファイルをそのまま維持させるように構成されている請求項１記載の注文プログラムのインストール用プログラム。
【請求項３】
前記注文プログラムは、前記コンピュータからサーバコンピュータに対してネットワークを経て写真プリント作製対象の画像データを送信して、前記店舗に写真プリントの作製注文をするためのプログラムとして構成されている請求項１又は２記載の注文プログラムのインストール用プログラム。
【発明の詳細な説明】
【技術分野】
【０００１】
本発明は、注文先の店舗を特定するための識別コードと、プログラムの実行中に使用される前記店舗に関する情報とを記録した店舗情報用データファイルを保持して、前記識別コードによって前記店舗を注文先として指定して物品又はサービスの提供をネットワーク経由で注文するための注文プログラムを、コンピュータへ実行可能な状態に組み込むための注文プログラムのインストール用プログラムに関する。
【背景技術】
【０００２】
かかる注文プログラムのインストール用プログラムは、例えば写真プリントの作製注文をインターネット経由で行う事例である下記特許文献１に記載のように、ネットワークを通じて物品又はサービスの提供を注文する操作を行うためのプログラム（注文プログラム）を対象とするものであり、そのような注文プログラムを注文者のコンピュータにインストールする作業を行うプログラムである。
このような注文プログラムは、特定の店舗を指定して注文を行う関係から、注文プログラム自体に注文先の店舗の情報を組み込んだ状態で、その店舗が自己の顧客に配布するような配布形態を採る場合が多く、又、特定の注文先の店舗の情報を組み込まずに汎用的な形態で配布される場合も多い。
【０００３】
このような状況下では、注文プログラムのユーザすなわち注文者は、自己のコンピュータに初めて注文プログラムをインストールする場合のみならず、ある店舗から配布された注文プログラムを自己のコンピュータにインストールして使っているときに、別の店舗から配布された注文プログラムをインストールする場合、あるいは、注文プログラムのバージョンアップに伴って注文先の店舗の情報を組み込んでいない新しいバージョンの注文プログラムにアップデートする場合等、様々なインストールの形態で注文プログラムを使用することになる。
既にコンピュータに同じプログラムが存在する状態で新たにプログラムをインストールするいわゆる上書きインストールをする場合は、プログラムのユーザが設定した固有の設定情報を記録したデータファイル等が存在するときは、一律にそのデータファイルを維持させて、プログラムの更新後もそのデータファイルをそのまま使用するように取り扱うのが一般的である。
【特許文献１】特開２００３−１５０５１８号公報
【発明の開示】
【発明が解決しようとする課題】
【０００４】
しかしながら、注文先の店舗を特定するための識別コードと、プログラム中の実行中にモニタ画面表示する前記店舗に関する情報とを記録した店舗情報用データファイルを保持する注文プログラムの場合、上記の一般的な上書きインストールの取扱いを適用したのでは、必ずしも注文プログラムの使用者に十分な便宜を図るものとはならない場合があった。
本発明は、かかる実情に鑑みてなされたものであって、その目的は、注文プログラムの本体部分と共に配布される付帯的なデータファイルを有効に活用して、使用者の利便性を向上させる点にある。
【課題を解決するための手段】
【０００５】
本出願の第１の発明は、注文先の店舗を特定するための識別コードと、プログラムの実行中に使用される前記店舗に関する情報とを記録した店舗情報用データファイルを保持して、前記識別コードによって前記店舗を注文先として指定して物品又はサービスの提供をネットワーク経由で注文するための注文プログラムを、コンピュータへ実行可能な状態に組み込むための注文プログラムのインストール用プログラムにおいて、前記店舗情報用データファイルが既に前記コンピュータ中に存在するときに、既に前記コンピュータ中に存在する前記店舗情報用データファイルに記録されている前記識別コードと、これから前記コンピュータに組み込もうとする前記店舗情報用データファイルについての前記識別コードとの対比結果によって、既に前記コンピュータ中に存在する前記店舗情報用データファイルをこれから前記コンピュータに組み込もうとする前記店舗情報用データファイルによって上書きするか否かを切換えるように構成されている。
【０００６】
すなわち、前記店舗情報用データファイルに含まれる前記識別コードによって、その注文プログラムがどのような配布形態で配布されたものであるか、換言すると、どの店舗によって配布されたものであるかを推定できるので、それを利用して前記店舗情報用データファイルを上書きするか否かを決定することで、前記店舗情報用データファイルの状態を使用者にとってできるだけ都合の良いように設定することが可能となる。
尚、この店舗情報用データファイルは、単一のファイルで構成しても良いし、複数ファイルにて構成しても良い。
【０００７】
又、本出願の第２の発明は、上記第１の発明の構成に加えて、既に前記コンピュータ中に存在する前記店舗情報用データファイルに記録されている前記識別コードと、これから前記コンピュータに組み込もうとする前記店舗情報用データファイルについての前記識別コードとが一致するときに、既に前記コンピュータ中に存在する前記店舗情報用データファイルをこれから前記コンピュータに組み込もうとする前記店舗情報用データファイルによって上書きし、既に前記コンピュータ中に存在する前記店舗情報用データファイルに記録されている前記識別コードと、これから前記コンピュータに組み込もうとする前記店舗情報用データファイルについての前記識別コードとが一致しないときに、既に前記コンピュータ中に存在する前記店舗情報用データファイルをそのまま維持させるように構成されている。
【０００８】
すなわち、既に注文プログラムがインストールされて、前記店舗情報用データファイルに有効な識別コードが存在する場合であって、その既に存在する識別コードと、新たに上書きインストールする注文プログラムについての識別コードが一致するときは、前記店舗情報用データファイルを更新する必要がないものとも考えられるが、このように同じ店舗から配布されたものと推定される場合でも、注文プログラムの本体のみならず、前記店舗情報用データファイルについても更新する。
このようにすることで、店舗に関する情報が変更されているような場合に、その店舗に関する情報が最新の状態で注文プログラムに取込まれるのである。
これに対して、前記店舗情報用データファイルに既に有効に存在する識別コードと、新たに上書きインストールする注文プログラムについての識別コードが一致しないときは、そのようなインストール作業を行う使用者の意図が必ずしも明確ではないので、既に存在する前記店舗情報用データファイルを維持させて、そのデータファイルに記録されている情報を消し去ってしまわないように安全策を採っている。
尚、既にコンピュータに存在する前記店舗情報用データファイルに店舗の識別コードが記録されていない場合、あるいは、そもそもコンピュータに前記店舗情報用データファイルが存在しない場合は、新たにインストールする注文プログラムについての前記店舗情報用データファイルを上書き、あるいは、新規に書込んで差し支えないのはもちろんのことである。
【０００９】
又、本出願の第３の発明は、上記第１又は第２の発明の構成に加えて、前記注文プログラムは、前記コンピュータからサーバコンピュータに対してネットワークを経て写真プリント作製対象の画像データを送信して、前記店舗に写真プリントの作製注文をするためのプログラムとして構成されている。
従って、写真プリントの作製注文をする注文プログラムをインストールする際に、注文先の店舗の識別コードの記録情報を活用して、的確なインストールを行える。
【発明の効果】
【００１０】
上記第１の発明によれば、どの店舗によって配布されたものであるかの推定情報を利用して、前記店舗情報用データファイルの状態を適切に設定することが可能となり、注文プログラムの本体部分と共に配布される付帯的なデータファイルを有効に活用して、使用者の利便性を向上させるに至った。
又、上記第２の発明によれば、適宜に既存の前記店舗情報用データファイルを維持させながら、前記店舗情報用データファイルを最新のものとすることができ、使用者の利便性を一層向上できるものとなった。
又、上記第３の発明によれば、写真プリントの作製注文をする注文プログラムをインストールする場合において、使用者の利便性を向上させることができる。
【発明を実施するための最良の形態】
【００１１】
以下、本発明の注文プログラムのインストール用プログラムを、注文プログラムとして写真プリント注文プログラムを取り扱う場合についての実施の形態を図面に基づいて説明する。
この写真プリント注文プログラムは、ネットワーク（より具体的には、インターネット）を経由して自宅から写真プリントの作製注文を行う写真プリント作製注文システムの一部を構成する。
本実施の形態で例示する写真プリント作製注文システムは、図１に概略的な配置を示すように、写真プリントの作製を希望する者（プリント発注者）が、自己のコンピュータ（パーソナルコンピュータＣＬ）からインターネット経由で、プリント注文を受付けるプリント注文集中受付サーバＰＳに接続して、写真プリントの作製に必要となる、写真プリント作製対象の画像データ，プリント枚数，プリントサイズ及び写真プリントの作製を依頼する店舗（以下、プリントショップと称する）を指定する情報等のデータを送信する形態で写真プリントの作製注文、換言すると、写真プリントの作製というサービスの提供の注文を行う。
プリント注文集中受付サーバＰＳはサーバコンピュータとして、多数のプリント発注者から写真プリントの作製注文を受け付け、そのプリント注文を各プリントショップに中継するものであり、多数のプリントショップの依頼を受けて写真プリントの作製注文を仲介するプリント注文中継事業者によって運営されている。
【００１２】
各プリントショップには、例えば図２に外観を例示するようないわゆるデジタルミニラボシステムと称される写真プリント装置ＥＰが設置されており、写真プリント装置ＥＰとＬＡＮ接続されたコンピュータＰＯからプリント注文集中受付サーバＰＳへ接続して、自己のプリントショップ宛のプリント注文があれば、そのプリント注文の画像データ等をダウンロードして、写真プリント装置ＥＰにて写真プリントを作製し、作製した写真プリントをプリント発注者へ発送する。
図２に例示する写真プリント装置ＥＰは、印画紙マガジン１にロール状に収納されている印画紙を引き出して、レーザビーム露光エンジン等のプリントエンジンにて印画紙上に画像を露光形成し、高画質の写真プリントを高速に作製する。尚、本実施の形態では主にデジタルカメラにて撮影された画像データによって写真プリントを作製することを想定してシステムが構成されているが、写真プリント装置ＥＰは、フィルム読み取り装置２を備えて、写真フィルムから写真プリントを作製する機能をも有している。
図１では、１つのプリントショップを図示しているが、実際には、上述のように多数のプリントショップがプリント注文集中受付サーバＰＳを運営するプリント注文中継事業者と契約して、プリント注文をインターネット経由のプリント注文を受入れている。
【００１３】
〔写真プリントの作製注文〕
一般ユーザが前記プリント発注者として写真プリントの作製注文を行うには、自己のパーソナルコンピュータＣＬに、プリント注文集中受付サーバＰＳと通信するための写真プリント注文プログラムと、ウェブ閲覧プログラム（いわゆるウェブブラウザ）とを予め組み込んでおく。写真プリント注文プログラムのパーソナルコンピュータＣＬへの組み込み操作（インストール操作）については後述する。
写真プリント注文プログラムは、ウェブサーバプログラムが動作しているプリント注文集中受付サーバＰＳに対してクライアントコンピュータとして接続して、必要なデータを送受信するプログラムであり、通常は、プリント注文中継事業者あるいはそのプリント注文中継事業者と契約しているプリントショップによって配布される。
一方、ウェブ閲覧プログラムは、広く一般に流通しているものを使用できるが、プリント注文中継事業者によって推奨されているものを使用するのが好ましい。
【００１４】
以下、プリント注文の際の前記写真プリント注文プログラムの動作を、図３のフローチャートに基づいて概略的に説明する。
前記写真プリント注文プログラムをパーソナルコンピュータＣＬにおいて起動させた状態で、パーソナルコンピュータＣＬを操作するプリント発注者がプリント注文作業の開始を指示入力すると、パーソナルコンピュータＣＬにおいて図３の処理が開始される。
図３の処理を開始すると、先ず、設定ファイル等に書込まれているプリント注文集中受付サーバＰＳのアドレス情報に基づいて、プリント注文集中受付サーバＰＳに対してサーバ側の最新情報を送り返すように通信要求を送信する（ステップ＃１）。この際、パーソナルコンピュータＣＬで実行されている前記写真プリント注文プログラムのバージョン情報も併せて送信される。
プリント注文集中受付サーバＰＳは、この通信要求に対する応答として、パーソナルコンピュータＣＬ側で実行されている前記写真プリント注文プログラムよりも新しいバージョンの前記写真プリント注文プログラムが存在すれば、その旨を示す情報とパーソナルコンピュータＣＬへ送信すると共に、１回のプリント注文処理で送信できる画像データの総容量の上限値を送信する。
【００１５】
このプリント注文集中受付サーバＰＳからの応答を受け取ったパーソナルコンピュータＣＬは（ステップ＃２）、より新しいバージョンの前記写真プリント注文プログラムが存在するときは（ステップ＃３）、新しいバージョンの前記写真プリント注文プログラムを一体化したインストール用プログラムをプリント注文集中受付サーバＰＳからダウンロードして（ステップ＃４）、そのインストール用プログラムを起動させる（ステップ＃５）。この後のインストール操作については後述する。
より新しいバージョンの前記写真プリント注文プログラムが存在しないときは（ステップ＃３）、次の処理（すなわち、ステップ＃６）に移行する。
【００１６】
ステップ＃６では、図５に例示するような写真プリント作製対象の画像を特定するための画面をモニタ表示する（ステップ＃６）。
図５の画面表示では、画像ファイルが存在するディレクトリを指定するためにパーソナルコンピュータＣＬ内のディレクトリ構造をツリー状に表示するディレクトリ指定欄１１と、ディレクトリ指定欄１１で指定されたディレクトリに存在する画像ファイルをサムネール表示する画像表示欄１２と、選択した画像のプリント注文を指示するための注文ボタン表示１３と、写真プリント注文プログラムの動作環境を設定するための設定ボタン表示１４とが表示される他、１つのディレクトリ内の全画像をプリント注文の対象として指定するための全コマ選択ボタン表示１５や、写真プリント注文プログラムの動作を停止させるための終了ボタン表示１６が表示される。
詳細な説明を省略するが、写真プリント注文プログラムにおける図５の画面表示を行う処理部分には、ディレクトリ指定欄１１においてマウス等によって指定されたディレクトリの画像ファイルのサムネール画像を画像表示欄１２へ表示させる処理プログラム等の、各表示を使用者が操作したときの処理を実行する処理プログラムが組み込まれている。
【００１７】
図５の画面表示には、更に、１点鎖線ＬＧで囲む領域に、プリントショップのロゴマーク等の画像が表示される。
このプリントショップのロゴマークを表示するために、パーソナルコンピュータＣＬにおける前記ロゴマークの画像データファイルのファイルパス情報が店舗情報用データファイルに記録されている。
この店舗情報用データファイルは、プリントショップを特定するための識別コードと、写真プリント注文プログラムの実行中に使用されるプリントショップに関する情報とを記録したデータファイルであり、上記のロゴマークの情報の他に、インターネット上のプリントショップのホームページのアドレス情報や、図５の画面表示での背景等の表示色の設定情報、あるいは、プリントショップ自体がプリント注文を受け付けるサーバを運営する場合におけるそのアドレス情報等が記録されている。
【００１８】
ちなみに、この店舗情報用データファイルの写真プリント注文プログラム上での利用形態としては、図５の画面のロゴマークをマウスで操作すると、プリントショップのホームページのアドレスを指定した状態でウェブブラウザが起動され、プリントショップ自体がプリント注文を受け付けるサーバを運営する場合におけるそのアドレス情報が記録されているときは、この写真プリント注文プログラムの起動時にそのサーバへ接続する。
写真プリント注文プログラムがこのような機能をサポートしているために、この店舗情報用データファイルの記録内容は、写真プリント注文プログラムを配布するプリントショップが独自に設定できる仕様となっている。
これに対して、上記ステップ＃４においてプリント注文集中受付サーバＰＳからダウンロードする写真プリント注文プログラムでは、上記の店舗情報用データファイルには何も記録されていないか、あるいは、そもそも店舗情報用データファイルが存在しない。
尚、前記店舗情報用データファイルは、必ずしも単一のファイルにて構成されている必要はなく、各記録情報毎のデータファイルの集合体として構成しても良い。すなわち、プリントショップを特定するための識別コードとプリントショップに関する情報とを別ファイルとして記録しておくようにしても良い。
【００１９】
パーソナルコンピュータＣＬを操作するプリント発注者が、図５の画面上でプリント注文する画像の選択を完了して、注文ボタン表示１３をマウス等にて操作すると（ステップ＃７）、写真プリントの作製対象として指定した画像ファイルがパーソナルコンピュータＣＬからプリント注文集中受付サーバＰＳへ送信（アップロード）される（ステップ＃８）。この際、前記店舗情報用データファイルに記録されているプリントショップの識別コードも写真プリント作製の注文先を指定する情報として併せて送信される。
プリント注文集中受付サーバＰＳでは、パーソナルコンピュータＣＬから送られてきた写真プリント作製対象の画像データを、画像数や画像サイズのデータ等の情報との整合性を確認して、問題なく受信できていればアップロード完了通知をパーソナルコンピュータＣＬへ送信する。
【００２０】
パーソナルコンピュータＣＬは、このアップロード完了通知を受け取ると（ステップ＃９）、アクセス用のアドレス情報としてプリント注文条件の入力用ファイルをダウンロードするためのアドレス情報を指定した状態でウェブ閲覧プログラムを起動させる（ステップ＃１０）。
これに伴って、ウェブ閲覧プログラムは、ダウンロードしたプリント注文条件の入力用ファイルをパーソナルコンピュータＣＬのモニタ画面に表示させる。
プリント発注者は、このモニタ画面上で、各画像のプリント枚数やプリントサイズを入力する。
必要なプリント注文条件の入力操作が完了すると、ウェブ閲覧プログラムの機能によってそれらの入力情報をプリント注文集中受付サーバＰＳを送信し、それによって写真プリントの作製注文が確定する。
【００２１】
〔写真プリント注文プログラムのインストール〕
次ぎに、上記の写真プリント注文プログラムをコンピュータ（パーソナルコンピュータＣＬ）へ実行可能な状態に組み込むインストール操作について説明する。
本実施の形態では、写真プリント注文プログラムをパーソナルコンピュータＣＬへインストールするインストール用プログラムを単独のプログラムとして構成している場合を例示して説明する。
このインストール用プログラムは、インストール作業を実行する本体プログラムと、インストールされる写真プリント注文プログラムの本体部分と、前記店舗情報用データファイル等の各種の設定ファイルと、その他補助的なプログラム等とから構成されて、上述のように各プリントショップによって配布される他、プリント注文集中受付サーバＰＳからのダウンロードの形態によっても供給される。
【００２２】
インストール用プログラムは、起動されるに伴って、図４のフローチャートで概略的に示す処理を実行する。
すなわち、先ず、インストール先のパーソナルコンピュータＣＬにインストール作業前から前記店舗情報用データファイルが既に存在するか否かを検索し、前記店舗情報用データファイルが存在しないか（ステップ＃２１）、あるいは、前記店舗情報用データファイルが存在しても、その店舗情報用データファイルにプリントショップの識別コードが記録されていない（ステップ＃２１，＃２３）ときは、インストール用プログラムからパーソナルコンピュータＣＬの写真プリント注文プログラムのための所定のディレクトリにファイルをコピーするときに、同じファイルが存在していても全て上書きするようにコピー条件を設定する（ステップ＃２２）。
もちろん同じファイルが存在していなければ、そのままコピーすることになる。
【００２３】
これに対して、パーソナルコンピュータＣＬ上にインストール作業前から既に前記店舗情報用データファイルが存在し、その中にプリントショップの識別コードが記録されているときは（ステップ＃２１，＃２３）、更に、インストール用プログラム中の前記店舗情報用データファイルにプリントショップの識別コードが記録されているか否かを検索して、そのような識別コードが存在しないか（ステップ＃２４）、あるいは、存在する場合でもインストール用プログラム中のプリントショップの識別コードとパーソナルコンピュータＣＬ内にインストール作業前から既に存在していたプリントショップの識別コードとが一致しない場合は（ステップ＃２４，＃２５）、前記店舗情報用データファイルについては、上書きをせずに既にパーソナルコンピュータＣＬに存在していた前記店舗情報用データファイルをそのまま維持させ、写真プリント注文プログラムの本体部分等の他のファイルについては上書きするようにコピー条件を設定する（ステップ＃２６）。
【００２４】
更に、インストール用プログラム中のプリントショップの識別コードとパーソナルコンピュータＣＬ内にインストール作業前から既に存在していたプリントショップの識別コードとが一致する場合は（ステップ＃２５）、インストール用プログラムからパーソナルコンピュータＣＬの写真プリント注文プログラムのための所定のディレクトリにファイルをコピーするときに、同じファイルが存在していても全て上書きするようにコピー条件を設定する（ステップ＃２２）。
すなわち、前記店舗情報用データファイルが既にパーソナルコンピュータＣＬ中に存在するときに、既にパーソナルコンピュータＣＬ中に存在する前記店舗情報用データファイルに記録されている前記識別コードと、これからパーソナルコンピュータＣＬに組み込もうとする前記店舗情報用データファイルについての前記識別コードとの対比結果によって、既にパーソナルコンピュータＣＬ中に存在する前記店舗情報用データファイルをこれからパーソナルコンピュータＣＬに組み込もうとする前記店舗情報用データファイルによって上書きするか否かを切換えるように構成されているのである。
【００２５】
このようにしてインストール用のファイルのコピー条件を設定した後、そのコピー条件で、インストール用プログラムの各ファイルを、パーソナルコンピュータＣＬの写真プリント注文プログラムのための所定のディレクトリにコピーする処理を行ってインストールする（ステップ＃２７）。
このとき、上述のようにコピー条件を設定していることから、既にパーソナルコンピュータＣＬ中に存在する前記店舗情報用データファイルに記録されている前記識別コードと、これからパーソナルコンピュータＣＬに組み込もうとする前記店舗情報用データファイルについての前記識別コードとが一致するときに、既にパーソナルコンピュータＣＬ中に存在する前記店舗情報用データファイルをこれからパーソナルコンピュータＣＬに組み込もうとする前記店舗情報用データファイルによって上書きし、既にパーソナルコンピュータＣＬ中に存在する前記店舗情報用データファイルに記録されている前記識別コードと、これからパーソナルコンピュータＣＬに組み込もうとする前記店舗情報用データファイルについての前記識別コードとが一致しないときに、既にパーソナルコンピュータＣＬ中に存在する前記店舗情報用データファイルをそのまま維持させることになる。
もちろん、パーソナルコンピュータＣＬにインストール作業前からプリントショップの識別コードが存在しないときは、インストール用プログラム中の新たに組み込もうとする前記店舗情報用データファイルをそのまま書込むし、インストールプログラム中に新たに組み込もうとする前記識別コードが存在しないときは、前記店舗情報用データファイルについてはインストール前の状態が維持される。
【００２６】
尚、以上のようにして前記店舗情報用データファイルを維持させたり、あるいは、上書きさせたりしても、写真プリント注文プログラムの実行時において、図５の画面表示の設定ボタン表示１４をマウス等にて操作することで、前記店舗情報用データファイルに記録するプリントショップの識別コードを任意のプリントショップの識別コードに書き換えるためのダイアログが表示され、そのダイアログに従って所望のプリントショップの識別コードに書き換えることで、写真プリント作製の注文先を変更することができる。
【００２７】
〔別実施形態〕
以下、本発明の別実施形態を列記する。
（１）上記実施の形態では、インストールの対象とする注文プログラムの機能として、写真プリントの作製注文をする場合を例示しているが、各種の物品を購入する場合等、各店舗独自にカスタマイズ可能な各種の注文プログラムのインストールのために本発明を適用することができる。
（２）上記実施の形態では、前記店舗情報用データファイルが既にパーソナルコンピュータＣＬ中に存在するときに、既にパーソナルコンピュータＣＬ中に存在する前記店舗情報用データファイルに記録されている前記識別コードと、これからパーソナルコンピュータＣＬに組み込もうとする前記店舗情報用データファイルについての前記識別コードとが一致するときに、既にパーソナルコンピュータＣＬ中に存在する前記店舗情報用データファイルをこれからパーソナルコンピュータＣＬに組み込もうとする前記店舗情報用データファイルによって上書きし、既にパーソナルコンピュータＣＬ中に存在する前記店舗情報用データファイルに記録されている前記識別コードと、これからパーソナルコンピュータＣＬに組み込もうとする前記店舗情報用データファイルについての前記識別コードとが一致しないときに、既にパーソナルコンピュータＣＬ中に存在する前記店舗情報用データファイルをそのまま維持させる場合を例示しているが、注文プログラムや前記店舗情報用データファイルの性質等によっては、上記とは逆に、既にパーソナルコンピュータＣＬ中に存在する前記店舗情報用データファイルに記録されている前記識別コードと、これからパーソナルコンピュータＣＬに組み込もうとする前記店舗情報用データファイルについての前記識別コードとが一致しないときに、既にパーソナルコンピュータＣＬ中に存在する前記店舗情報用データファイルをこれからパーソナルコンピュータＣＬに組み込もうとする前記店舗情報用データファイルによって上書きし、既にパーソナルコンピュータＣＬ中に存在する前記店舗情報用データファイルに記録されている前記識別コードと、これからパーソナルコンピュータＣＬに組み込もうとする前記店舗情報用データファイルについての前記識別コードとが一致するときに、既にパーソナルコンピュータＣＬ中に存在する前記店舗情報用データファイルをそのまま維持させるようにしても良い。
【図面の簡単な説明】
【００２８】
【図１】本発明の実施の形態にかかるプリント注文の概要を示すための配置図
【図２】本発明の実施の形態にかかる写真プリント装置の外観斜視図
【図３】本発明の実施の形態にかかるフローチャート
【図４】本発明の実施の形態にかかるフローチャート
【図５】本発明の実施の形態にかかるモニタ画面表示例を示す図
【符号の説明】
【００２９】
ＣＬ  コンピュータ
ＰＳ  サーバコンピュータ
【図１】
2007034756.tif 000003
【図２】
2007034756.tif 000004
【図３】
2007034756.tif 000005
【図４】
2007034756.tif 000006
【図５】
2007034756.tif 000007